(57)【要約】【課題】本体部の側壁に孔を開けなくても弾性接触片の過度撓みを防止することが可能な雌端子金具を提供する。【解決手段】雌端子金具１０は、筒状の本体部２０と、本体部２０の内部に撓み可能に配置される弾性接触片２８とを備える。本体部２０に雄タブ９０が挿入された場合に、雄タブ９０が弾性接触片２８と接触して、弾性接触片２８が本体部２０の基壁２１へ向けて撓み変形させられる。本体部２０の基壁２１には、弾性接触片２８とその撓み方向で対向する位置に配置されて、弾性接触片２８の過度撓みを規制する過度撓み規制部３７が設けられる。過度撓み規制部３７は、基壁２１の基準面に対して弾性接触片２８側へ底上げされた形態とされている。【選択図】図３
2014170709.tif 000002
【特許請求の範囲】
【請求項１】
筒状の本体部と、前記本体部の内部に撓み可能に配置される弾性接触片とを備え、前記本体部に相手側の雄タブが挿入された場合に、前記雄タブが前記弾性接触片と接触して、前記弾性接触片が前記本体部の基壁へ向けて撓み変形させられる雌端子金具であって、
前記本体部の基壁には、前記弾性接触片とその撓み方向で対向する位置に配置されて、前記弾性接触片の過度撓みを規制する過度撓み規制部が設けられていることを特徴とする雌端子金具。
【請求項２】
前記過度撓み規制部が、前記弾性接触片の幅方向両端部と対向する位置に対をなして設けられていることを特徴とする請求項１記載の雌端子金具。
【請求項３】
前記本体部には、前記弾性接触片とその撓み方向で当接して前記弾性接触片のばね力を補助する補助バネ片が、前記基壁の切り起こし孔から切り起こされて設けられ、前記過度撓み規制部も、前記切り起こし孔から切り起こされてなることを特徴とする請求項１又は２記載の雌端子金具。
【発明の詳細な説明】
【技術分野】
【０００１】
本発明は、雌端子金具に関する。
【背景技術】
【０００２】
特許文献１に開示の雌端子金具は、雄タブが挿入される筒状の本体部（特許文献１では「電気接触部」と呼称）と、本体部の内部に撓み可能に配置され、本体部に挿入される雄タブ（特許文献１では「雄端子」と呼称）に弾性的に接触する弾性接触片とを備えている。また、本体部の両側壁には、弾性接触片の過度撓みを防止するために内方へ向けて切り起こされた過度撓み防止片が設けられている。
【先行技術文献】
【特許文献】
【０００３】
【特許文献１】特開２００３−２４３０７６号公報
【発明の概要】
【発明が解決しようとする課題】
【０００４】
上記の場合、過度撓み防止片の形成に伴い、両側壁に孔が開くため、孔を通して本体部内に異物が侵入する可能性があった。とくに、上記孔は、弾性接触片が雄タブと接触する接点部の近傍に位置しているため、孔から侵入した異物が接点部に付着する可能性があり、電気的な接続信頼性が損なわるおそれがあった。また、孔が両側壁に設けられているため、本体部の強度が低下する懸念もあった。
本発明は上記のような事情に基づいて完成されたものであって、本体部の側壁に孔を開けなくても弾性接触片の過度撓みを防止することが可能な雌端子金具を提供することを目的とする。
【課題を解決するための手段】
【０００５】
本発明は、筒状の本体部と、前記本体部の内部に撓み可能に配置される弾性接触片とを備え、前記本体部に相手側の雄タブが挿入された場合に、前記雄タブが前記弾性接触片と接触して、前記弾性接触片が前記本体部の基壁へ向けて撓み変形させられる雌端子金具であって、前記本体部の基壁には、前記弾性接触片とその撓み方向で対向する位置に配置されて、前記弾性接触片の過度撓みを規制する過度撓み規制部が設けられているところに特徴を有する。
【発明の効果】
【０００６】
本体部の基壁に過度撓み規制部が設けられているため、本体部の側壁に孔を開けなくても弾性接触片の過度撓みを防止することが可能となる。
【図面の簡単な説明】
【０００７】
【図１】本発明の実施例１の雌端子金具の正面図である。
【図２】本体部の側面図である。
【図３】本体部の側断面図である。
【図４】本体部の底面図である。
【図５】本体部の背面視方向の断面図である。
【図６】弾性接触片が過度撓み規制部に当接して、弾性接触片の過度撓みが規制される状態を示す断面図である。
【発明を実施するための形態】
【０００８】
本発明の好ましい形態を以下に示す。
前記過度撓み規制部が、前記弾性接触片の幅方向両端部と対向する位置に対をなして設けられている。これにより、過度撓みしようとする弾性接触片が過度撓み規制部に安定して支持される。
【０００９】
前記本体部には、前記弾性接触片とその撓み方向で当接して前記弾性接触片のばね力を補助する補助バネ片が、前記基壁の切り起こし孔から切り起こされて設けられ、前記過度撓み規制部も、前記切り起こし孔から切り起こされてなる。過度撓み規制部と補助バネ片とが１つの切り起こし孔を共用して設けられるため、本体部の構成を簡素化することができる。また、本体部に不必要に大きな孔が開くことがないため、本体部の強度を確保することができる。
【００１０】
＜実施例１＞
本発明の実施例１を図１〜図６によって説明する。実施例１の雌端子金具１０は、導電性の金属板を曲げ加工等して形成され、相手側の雄タブ９０（図６を参照）が挿入される筒状の本体部２０を備えている。なお、雌端子金具１０は、本体部２０の後方に電線（図示せず）の端末部に接続される部分を有しているが、ここではその図示及び説明を省略する。
【００１１】
本体部２０は、角筒状をなし、図１及び図５に示すように、幅方向にほぼ沿った基壁２１と、基壁２１の幅方向両端から立ち上がる一対の側壁２２と、両側壁２２のうちの一方の側壁２２の上端部から他方の側壁２２の上端部にかけて架け渡される対向壁２３とを有している。対向壁２３には、本体部２０の内側へ折り曲げられてなる受け部２４が設けられている。図３に示すように、受け部２４は、前後方向に沿った受け面２５を有し、雄タブ９０の上面と当接して後述する弾性接触片２８との間に雄タブ９０を挟持するようになっている。
【００１２】
両側壁２２の前端部には、図１及び図４に示すように、内方へ叩き出された形態をなす一対のガタ詰め部２６が設けられている。両ガタ詰め部２６は、本体部２０の内部における雄タブ９０の挿入経路を挟んだ幅方向両側に配置され、雄タブ９０の幅方向両端面との間の隙間を詰めることにより、雄タブ９０が本体部２０内で幅方向にガタ付くのを規制する役割をはたす。
【００１３】
また、両側壁２２の後端部には、図４に示すように、外方へ切り起こされた形態をなす一対のスタビライザ２７が設けられている。図１に示すように、両スタビライザ２７は、両側壁２２のそれぞれで互いに異なる高さ位置に配置されている。ここで、雌端子金具１０がコネクタハウジング（図示せず）のキャビティ（図示せず）に挿入されると、両スタビライザ２７がキャビティと連通する案内溝に嵌合して挿入され、これによって雌端子金具１０の挿入動作が案内されるようになっている。また、雌端子金具１０が正規の挿入姿勢ではない不正姿勢をとる場合には、両スタビライザ２７が案内溝に挿入されずにコネクタハウジングの後面に干渉し、これによって雌端子金具１０が不正姿勢の状態でキャビティ内に挿入されるのが防止されるようになっている。
【００１４】
図３に示すように、本体部２０の内部には、撓み可能な弾性接触片２８が配置されている。弾性接触片２８は、展開状態において基壁２１の前端から前方に延びる部分を、後方へ折り返してなるものであり、基壁２１の前端から後方へ上り勾配で延びる形態とされている。そして、弾性接触片２８は、基壁２１の前端を支点として上下方向に撓み変形可能とされている。図１及び図４に示すように、弾性接触片２８の後端部には、上方へ叩き出されたエンボス状の接点部２９が設けられている。また、弾性接触片２８の後端部には、接点部２９を挟んだ両側に、一対の張出部３１が両側方に張り出して設けられている。
【００１５】
本体部２０に雄タブ９０が挿入されると、弾性接触片２８が雄タブ９０に押圧されて下方（基壁２１側）に撓み変形させられ、その状態で、接点部２９が雄タブ９０に弾性的に接触することにより、雌端子金具１０が接点部２９と受け部２４との間に雄タブ９０と導通接続されるようになっている。なお、図４に示すように、弾性接触片２８の前後方向途中は、前端部及び後端部よりも幅狭に括れた形態になっている。
【００１６】
また、図３に示すように、本体部２０の内部には、弾性接触片２８とは別に、撓み可能な補助バネ片３２が配置されている。補助バネ片３２は、基壁２１の切り起こし孔３３から切り起こされてなり、図４に示すように、切り起こし孔３３の後端縁から前方へ向けて延びる形態とされている。図３に示すように、補助バネ片３２の前端部は、弾性接触片２８の後端部に下方から当接可能に配置され、弾性接触片２８を下支えすることにより、弾性接触片２８のバネ力を補助する役割をはたす。そして、図４に示すように、補助バネ片３２は、全体として弾性接触片２８よりも幅狭とされ、補助バネ片３２の前端部は、弾性接触片２８の後端部の幅方向中央部に当接可能とされている。
【００１７】
また、図３に示すように、基壁２１における補助バネ片３２よりも前方位置には、切り起こし孔３３の前端縁から本体部２０の外側となる下方へ向けて叩き出された爪状の係止突起３４が設けられている。係止突起３４の下端後縁には、後方へ向けて突出する形態をなす副突起３５が設けられている。
【００１８】
さて、切り起こし孔３３の前端部には、図４及び図５に示すように、基壁２１から両側壁２２の下端部に跨る範囲に、底上げ用切り起こし孔３６が設けられ、基壁２１には、底上げ用切り起こし孔３６から内方へ切り起こされてなる一対の過度撓み規制部３７が設けられている。両過度撓み規制部３７は、基壁２１の基準面（基壁２１のうち、切り起こし孔３３を挟んだ前後両側の部分の壁面）に対して、弾性接触片２８側へ近づくように一段高い位置に配置され、図５に示すように、弾性接触片２８の両張出部３１とその下方（弾性接触片２８の撓み方向）で対向する位置に、略水平に配置された規制面３８を有している。また、両過度撓み規制部３７は、幅方向に関して補助バネ片３２の前端部を挟んだ両側で、且つ高さ方向に関して自然状態にある補助バネ片３２の前端部よりも下方に配置されている。さらに、図４に示すように、両過度撓み規制部３７は、底面視で矩形状をなし、弾性接触片２８の両張出部３１の前後長を超える前後長を有している。なお、本体部２０における両過度撓み規制部３７の下方には、図３に示すように、後述するランス７０を受容可能なランス受容空間４０が開放されている。
【００１９】
次に、実施例１の雌端子金具１０の作用効果を説明する。
コネクタハウジングのキャビティ内に雌端子金具１０が挿入され、雌端子金具１０が正規挿入位置に至ると、キャビティの内壁に突成されたランス７０の先端部が本体部２０のランス受容空間４０に弾性的に嵌まり込み、ランス７０の先端部が係止突起３４の副突起３５に係止可能に配置されることで、雌端子金具１０がキャビティ内に抜け止めされる。この場合、両過度撓み規制部３７が基壁２１の基準面よりも高位に位置することにより、ランス受容空間４０の高さ方向の凹み量が増大して、ランス７０の先端部がランス受容空間４０に深く進入することが可能となっている。
【００２０】
続いて、コネクタハウジングが相手側コネクタハウジング（図示せず）に嵌合されると、相手側コネクタハウジングに装着された雄タブ９０が本体部２０に挿入され、弾性接触片２８が雄タブ９０に当接して下方へ撓み変形させられるとともに、補助バネ片３２も弾性接触片２８に押圧されて下方へ撓み変形させられる。雄タブ９０が正規深さで挿入されると、弾性接触片２８の接点部２９と受け部２４の受け面２５との間に雄タブ９０が弾性的に挟み込まれ、これによって雌端子金具１０が雄タブ９０に正規に導通接続される。
【００２１】
一方、図６に示すように、弾性接触片２８が不正な挿入姿勢をとる等して、弾性接触片２８に過剰な外力が作用すると、弾性接触片２８が補助バネ片３２ともども下方へ過度に撓み変形させられる可能性がある。しかるに実施例１によれば、弾性接触片２８が過度に撓み変形させられる前に、弾性接触片２８の両張出部３１が両過度撓み規制部３７の規制面３８に当接して、弾性接触片２８のそれ以上の撓み動作が規制されるため、弾性接触片２８が過度撓みする事態が防止される。なお、弾性接触片２８の両張出部３１が両過度撓み規制部３７に当接した状態では、補助バネ部の前端部が高さ方向に関して両過度撓み規制部３７と重なる位置に配置される。
【００２２】
以上説明したように、実施例１によれば、本体部２０の基壁２１に過度撓み規制部３７が設けられているため、本体部２０の側壁２２に孔を開けなくても弾性接触片２８の過度撓みを防止することが可能となる。この場合に、過度撓み規制部３７が弾性接触片２８の幅方向両端部における両張出部３１と対向する位置に対をなして設けられているため、弾性接触片２８が過度撓み規制部３７に安定して支持される。また、補助バネ片３２が両過度撓み規制部３７の間に配置されることにより、基壁２１の幅内に両過度撓み規制部３７と補助バネ片３２とがスペース効率良く配置される。
【００２３】
さらに、両過度撓み規制部３７及び補助バネ片３２がいずれも基壁２１の切り起こし孔３３から切り起こされ、１つの切り起こし孔３３を共用しているため、本体部２０の構成が簡素化される。また、本体部２０に不必要に大きな孔が開くことがないため、本体部２０の所定の強度を確保することが可能となる。
【００２４】
＜他の実施例＞
本発明は上記記述及び図面によって説明した実施例に限定されるものではなく、例えば次のような態様も本発明の技術的範囲に含まれる。
（１）過度撓み規制部が、補助バネ片に当接して弾性接触片の過度撓みを規制する構成であってもよい。
（２）過度撓み規制部が、基壁に１つ又は３つ以上設けられるものであってもよい。
（３）場合によっては、補助バネ片は省略されてもよい。この場合、過度撓み規制部は、弾性接触片の幅方向中央部と対向する位置に配置されるものであってもよい。
（４）過度撓み規制部は、基壁に立ち上げ形成され、その立ち上げ端が弾性接触片と対向する位置に配置されるものであってもよい。
（５）過度撓み規制部は、弾性接触片における後端部よりも前方の部分と対向する位置に配置されるものであってもよい。
【符号の説明】
【００２５】
１０…雌端子金具
２０…本体部
２１…基壁
２２…側壁
２８…弾性接触片
３１…張出部
３２…補助バネ片
３３…切り起こし孔
３７…過度撓み規制部
９０…雄タブ
【図１】
2014170709.tif 000003
【図２】
2014170709.tif 000004
【図３】
2014170709.tif 000005
【図４】
2014170709.tif 000006
【図５】
2014170709.tif 000007
【図６】
2014170709.tif 000008